【手続補正書】
【提出日】平成23年2月18日(2011.2.18)
【手続補正１】
【補正対象書類名】特許請求の範囲
【補正対象項目名】全文
【補正方法】変更
【補正の内容】
【特許請求の範囲】
【請求項１】
商品に対応付けられた電子棚札装置と通信を行う通信手段と、
商品の特徴情報と、当該商品に対応する電子棚札装置の識別情報と、当該商品に対応する商品グループと、を記憶する記憶手段と、
前記記憶手段に記憶された商品グループ及び特徴情報から、同一商品グループ内における商品の位置付けを取得する取得手段と、
当該取得した位置付けに基づいて、当該商品の位置付けを示す情報を生成する生成手段と、
前記記憶手段に記憶された電子棚札装置の識別情報を用いて、前記位置付けが示された商品に対応する電子棚札装置を特定する特定手段と、
前記通信手段を介して、前記生成手段により生成された情報を前記特定手段により特定された電子棚札装置へ送信する通信制御手段と、
を備えるサーバ装置。
【請求項２】
商品の特徴情報は価格情報であって、前記生成手段は、取得した価格帯情報における商品の価格情報の位置を示すグラフを作成し、当該価格情報及び当該グラフを含む画面情報を生成するようにしたことを特徴とする請求項１記載のサーバ装置。
【請求項３】
表示手段と、
サーバ装置と通信を行う第１の通信手段と、
前記第１の通信手段を介して、商品の特徴情報と、同一商品グループ内における商品の位置付けとを前記サーバ装置から受信する受信制御手段と、
前記受信制御手段により受信された当該商品の位置付けを示すグラフを作成するグラフ作成手段と、
前記グラフ作成手段により作成されたグラフ及び前記特徴情報を含む画面情報を生成し、当該画面情報を用いて前記表示手段にグラフ及び特徴情報を表示する表示制御手段と、
を備える電子棚札装置。
【請求項４】
電子棚札装置と、
前記電子棚札装置に表示情報を送信するサーバ装置と、を備え、
前記サーバ装置は、
前記電子棚札装置と通信を行う第２の通信手段と、
商品の価格情報と、当該商品に対応する電子棚札装置の識別情報と、当該商品に対応する商品グループと、を記憶する記憶手段と、
前記記憶手段に記憶された商品グループ及び価格情報から、同一商品グループの商品の価格帯情報を取得する取得手段と、
前記記憶手段に記憶された電子棚札装置の識別情報を用いて、前記取得手段により取得された価格帯情報の商品に対応する電子棚札装置を特定する特定手段と、
前記第２の通信手段を介して、商品の価格情報と、前記取得手段により取得された当該商品の同一商品グループの価格帯情報と、を前記特定された電子棚札装置へ送信する通信制御手段と、
を備える電子棚札システム。
【請求項５】
コンピュータを、
商品に対応付けられた電子棚札装置と通信を行う通信手段、
商品の特徴情報と、当該商品に対応する電子棚札装置の識別情報と、当該商品に対応する商品グループと、を記憶する記憶手段、
前記記憶手段に記憶された商品グループ及び特徴情報から、同一商品グループ内における商品の位置付けを取得する取得手段、
当該取得した位置付けに基づいて、当該商品の位置付けを示す情報を生成する生成手段、
前記記憶手段に記憶された電子棚札装置の識別情報を用いて、前記位置付けが示された商品に対応する電子棚札装置を特定する特定手段、
前記通信手段を介して、前記生成手段により生成された情報を前記特定手段により特定された電子棚札装置へ送信する通信制御手段、
として機能させるためのプログラム。
【請求項６】
コンピュータを、
表示手段、
サーバ装置と通信を行う第１の通信手段、
前記第１の通信手段を介して、商品の特徴情報と、同一商品グループ内における商品の位置付けとを前記サーバ装置から受信する受信制御手段、
前記受信制御手段により受信された当該商品の位置付けを示すグラフを作成するグラフ作成手段、
前記グラフ作成手段により作成されたグラフ及び前記特徴情報を含む画面情報を生成し、当該画面情報を用いて前記表示手段にグラフ及び特徴情報を表示する表示制御手段、
として機能させるためのプログラム。
【手続補正２】
【補正対象書類名】明細書
【補正対象項目名】０００５
【補正方法】変更
【補正の内容】
【０００５】
本発明の課題は、同一商品グループ内における商品の位置付けを顧客に提示することである。
【手続補正３】
【補正対象書類名】明細書
【補正対象項目名】０００６
【補正方法】変更
【補正の内容】
【０００６】
上記課題を解決するために、請求項１に記載の発明のサーバ装置は、商品に対応付けられた電子棚札装置と通信を行う通信手段と、商品の特徴情報と、当該商品に対応する電子棚札装置の識別情報と、当該商品に対応する商品グループと、を記憶する記憶手段と、前記記憶手段に記憶された商品グループ及び特徴情報から、同一商品グループ内における商品の位置付けを取得する取得手段と、当該取得した位置付けに基づいて、当該商品の位置付けを示す情報を生成する生成手段と、前記記憶手段に記憶された電子棚札装置の識別情報を用いて、前記位置付けが示された商品に対応する電子棚札装置を特定する特定手段と、前記通信手段を介して、前記生成手段により生成された情報を前記特定手段により特定された電子棚札装置へ送信する通信制御手段とを備える。
請求項２に記載の発明のサーバ装置は、請求項１記載のサーバ装置において、商品の特徴情報は価格情報であって、前記生成手段は、取得した価格帯情報における商品の価格情報の位置を示すグラフを作成し、当該価格情報及び当該グラフを含む画面情報を生成するようにしたことを特徴とする。
【手続補正４】
【補正対象書類名】明細書
【補正対象項目名】０００７
【補正方法】変更
【補正の内容】
【０００７】
請求項３に記載の発明の電子棚札装置は、表示手段と、サーバ装置と通信を行う第１の通信手段と、前記第１の通信手段を介して、商品の特徴情報と、同一商品グループ内における商品の位置付けとを前記サーバ装置から受信する受信制御手段と、前記受信制御手段により受信された当該商品の位置付けを示すグラフを作成するグラフ作成手段と、前記グラフ作成手段により作成されたグラフ及び前記特徴情報を含む画面情報を生成し、当該画面情報を用いて前記表示手段にグラフ及び特徴情報を表示する表示制御手段とを備える。
【手続補正５】
【補正対象書類名】明細書
【補正対象項目名】０００８
【補正方法】変更
【補正の内容】
【０００８】
請求項４に記載の発明の電子棚札システムは、電子棚札装置と、前記電子棚札装置に表示情報を送信するサーバ装置と、を備え、前記サーバ装置は、前記電子棚札装置と通信を行う第２の通信手段と、商品の価格情報と、当該商品に対応する電子棚札装置の識別情報と、当該商品に対応する商品グループと、を記憶する記憶手段と、前記記憶手段に記憶された商品グループ及び価格情報から、同一商品グループの商品の価格帯情報を取得する取得手段と、前記記憶手段に記憶された電子棚札装置の識別情報を用いて、前記取得手段により取得された価格帯情報の商品に対応する電子棚札装置を特定する特定手段と、前記第２の通信手段を介して、商品の価格情報と、前記取得手段により取得された当該商品の同一商品グループの価格帯情報と、を前記特定された電子棚札装置へ送信する通信制御手段とを備える。
【手続補正６】
【補正対象書類名】明細書
【補正対象項目名】０００９
【補正方法】変更
【補正の内容】
【０００９】
請求項５に記載の発明のプログラムは、コンピュータを、商品に対応付けられた電子棚札装置と通信を行う通信手段、商品の特徴情報と、当該商品に対応する電子棚札装置の識別情報と、当該商品に対応する商品グループと、を記憶する記憶手段、前記記憶手段に記憶された商品グループ及び特徴情報から、同一商品グループ内における商品の位置付けを取得する取得手段、当該取得した位置付けに基づいて、当該商品の位置付けを示す情報を生成する生成手段、前記記憶手段に記憶された電子棚札装置の識別情報を用いて、前記位置付けが示された商品に対応する電子棚札装置を特定する特定手段、前記通信手段を介して、前記生成手段により生成された情報を前記特定手段により特定された電子棚札装置へ送信する通信制御手段、として機能させる。
【手続補正７】
【補正対象書類名】明細書
【補正対象項目名】００１０
【補正方法】変更
【補正の内容】
【００１０】
請求項６に記載の発明のプログラムは、コンピュータを、表示手段、サーバ装置と通信を行う第１の通信手段、前記第１の通信手段を介して、商品の特徴情報と、同一商品グループ内における商品の位置付けとを前記サーバ装置から受信する受信制御手段、前記受信制御手段により受信された当該商品の位置付けを示すグラフを作成するグラフ作成手段、前記グラフ作成手段により作成されたグラフ及び前記特徴情報を含む画面情報を生成し、当該画面情報を用いて前記表示手段にグラフ及び特徴情報を表示する表示制御手段として機能させる。
【手続補正８】
【補正対象書類名】明細書
【補正対象項目名】００１１
【補正方法】変更
【補正の内容】
【００１１】
本発明によれば、同一商品グループ内における商品の位置付けを顧客に提示することができる。